(57)【要約】【課題】柔軟性を持つ包装物を、小ロットで封筒状の包装袋に容易に収納し、取り出しを行うことが出来ながら、且つ、包装袋内で姿勢を崩さないように位置保持させることが出来るようにすること。【解決手段】柔軟性を持つ包装物４を袋に収納するための包装用補助台紙であって、シート３の挿入先端側辺を折り曲げて前記包装物４を支持するための支持部３Ａを構成し、且つ、前記シート３の挿入基端側辺を、前記挿入先端側辺と同じ側に所定長さ折り曲げ、その基端部３Ｃを接着固定して自由端側を挟持部３Ｂに構成し、前記包装物４を前記支持部３Ａと挟持部３Ｂとの間で位置保持するように構成した。【選択図】        図１
2005029247.tif 000002
【特許請求の範囲】
【請求項１】
合成樹脂フィルムで袋状に構成され、その一側が感圧性粘着剤によって開閉自在に構成された封筒状の袋又はヘッダー１に、柔軟性を持つ包装物４を収納するための包装用補助台紙であって、
前記ヘッダー１の収納スペースに略一致する所定の強度を持つシート３の挿入先端側辺を所定長さ折り曲げて前記包装物４を支持するための支持部３Ａを構成し、且つ、
前記シート３の挿入基端側辺を、前記挿入先端側辺と同じ側に所定長さ折り曲げ、その基端部３Ｃを接着固定して自由端側を挟持部３Ｂに構成し、
前記包装物４を前記支持部３Ａと挟持部３Ｂとの間で位置保持するように構成した、
包装用補助台紙。
【請求項２】
前記挟持部３Ｂが、前記シート３の素材による弾性復元力によって前記包装物４を弾性挟持するように構成した、
請求項１の包装用補助台紙。
【請求項３】
前記ヘッダー１が透明な合成樹脂フィルム素材で構成され、その上辺に吊り下げ用の孔１Ｂが穿孔されている、
請求項１又は請求項２の包装用補助台紙。
【請求項４】
前記シート３の支持部３Ａの自由端側が更に内側に向けて折り込まれ、その折り曲げ部３ａが折り曲げの反発力により包装物４を前記シート３との間に押圧挟持するように構成した、
請求項１乃至請求項３の包装用補助台紙。
【発明の詳細な説明】
【発明の詳細な説明】
【技術分野】
【０００１】  本発明は、包装用台紙に関し、詳しくは、柔軟な包装物、例えば、特殊なティッシュ、ガーゼ、ハンカチ、ソックス、特殊目的の織布、不織布等を既存の透明な封筒状の袋又はヘッダーに収納して販売するのに適した包装用の台紙に関する。
【背景技術】
【０００２】  上述した柔軟な包装物である特殊なティッシュ、ガーゼ、ハンカチ、ソックス等を、所謂ヘッダーと呼ばれる透明袋（開口のあるヘッダーを備えたタイプ）や透明な封筒状の袋に収容して、小ロットでコンビニエンスストアや量販店で販売されてきている。
これまでに用いられていたヘッダー等は、上述した柔軟な包装物を合成樹脂フィルムでラップした状態で完全シール（熱溶着等）し、開封に際して包装を破ってしまう方式であった。【０００３】  しかし、最近では、図６或いは図７に示すように、一目で内容物が把握できるように、一般に透明な合成樹脂フィルムで封筒状に構成され、封筒状の包装の一辺の開口１Ｅを、感圧性粘着剤１Ｄを用いて開封自在に構成し、開封に際して接着シール１Ｃを剥がし、包装物（特殊ティッシュ等）の一部取り出しに際しては、その粘着性を利用して開口１Ｅを開き、或いは再度閉鎖して保存を図ることができるように構成した包装袋が主流となっている。そして、図６に示すヘッダータイプの袋では、そのヘッダー部１Ａ（紙製等の補強材が部分的に入れてある）に設けた孔１Ｂを利用してハンガーボードのピンやロッド２に挿入して吊り下げて展示販売できるように構成され、図７に示す封筒状の袋では、そのまま、棚に載置して販売されている。
【発明が解決しようとする課題】
【０００４】  この種のヘッダー乃至封筒状袋は、柔軟なティッシュ、ガーゼ、ハンカチ、ソックス等を小ロットで販売するのに適しているが、こうした包装物が柔らかいために、ヘッダー乃至封筒状袋に収納した後に輸送や取り扱い時に外力が作用すると内部で片寄ってしまって、棚への載置販売や吊り下げ展示に際してヘッダー乃至封筒状袋が膨らんだで嵩張ったり、包装物（ソックス等）が姿勢を崩して綺麗に展示できなくなるという問題がある（透明で中身が見える）。
【０００５】  また、包装物、例えば、シリコン含浸のティッシュや、ガーゼ等は、複数セットが収納されているので、一部を取り出して使用した後に、ヘッダーを閉じて残りをそのまま収納しておき、必要に応じて取り出すようにするが、その際にも、柔らかなティッシュ、ガーゼ、ハンカチ、ソックスを、本来扁平でタイトな封筒状（開口を大きく広げることは出来るが挿入し難い）に柔らかい物を再装填し難いものである。
即ち、この種のヘッダーは、柔らかな包装物を収納した後の内部での片寄りや、再装填時の困難性がある。
【０００６】  また、上記ヘッダーや封筒状袋の感圧性粘着剤１Ｄが存在するため、裸の状態で収納された包装物（ソックスハンカチ等）を取り出す時に、この包装物（ソックスハンカチ等）がその感圧性粘着剤１Ｄに接触し、引っ付いてしまうとう問題もあった。
【０００７】  本発明は、かかる問題に鑑み、柔軟性を持つ包装物を、小ロットで封筒状の包装袋に容易に収納し、取り出しを行うことが出来ながら、且つ、包装袋内で姿勢を崩さないように位置保持させることが出来る包装用補助台紙を提供することを目的とする。
【課題を解決するための手段】
【０００８】  本発明にかかる包装用補助台紙は、上記課題を解決するべく、合成樹脂フィルムで袋状に構成され、その一側が感圧性粘着剤によって開閉自在に構成された封筒状の袋又はヘッダー１に、柔軟性を持つ包装物４を収納するための包装用補助台紙であって、
前記ヘッダー１の収納スペースに略一致する所定の強度を持つシート３の挿入先端側辺を所定長さ折り曲げて前記包装物４を支持するための支持部３Ａを構成し、且つ、
前記シート３の挿入基端側辺を、前記挿入先端側辺と同じ側に所定長さ折り曲げ、その基端部３Ｃを接着固定して自由端側を挟持部３Ｂに構成し、
前記包装物４を前記支持部３Ａと挟持部３Ｂとの間で位置保持するように構成した、
という手段を講じたものである。
【０００９】  本発明に言うヘッダーとは、小型の袋状（封筒状）のもので、透明な合成樹脂フィルムで構成され、吊り下げ陽の孔を設けたもので、それ自体公知のものである。
また、シート３は、ヘッダー１の収容面積と実質的に同じ大きさに構成されているものであり（僅かに小さい）、これ自体に収容物品の説明書きや、広告が印刷されているものであり、本発明の目的を達成するための台紙としての役割と、こうした役割を兼ねている。
【発明の実施の態様】
【００１０】  本発明においては、前記挟持部３Ｂが、前記シート３の素材による弾性復元力によって前記包装物４を弾性挟持するように構成してあるのが好ましい。これにより、包装物４の下端部（吊り下げ時）がしっかりと挟持され、内部で包装物４が片寄ってしまうことがない。
また、前記ヘッダー１が透明な合成樹脂フィルム素材で構成され、その上辺に吊り下げ用の孔１Ｂが穿孔されているのが好ましい。
【００１１】  前記シート３の支持部３Ａの自由端側が更に内側に向けて折り込まれ、その折り曲げ部３ａが折り曲げの反発力により包装物４を前記シート３との間に押圧挟持するように構成するのが好ましい。
この弾性挟持によって包装物４の位置保持をより確実に行なうことが出来る。
尚、前記シート３が紙製であるのが好ましいが、その他に、本発明に言う挟持作用を発現できる弾性を有する合成樹脂フィルムシート等を用いることが出来る。
【００１２】  要するに、所定の強度を持つシート３とは、所定の厚みを持った紙製の板材、厚みのある合成樹脂フィルム乃至シート等（ポリオレフィン系、ＰＥ，ＰＰ等）で撓みを生じても折れ曲がりしないものが好ましいが、包装物をこれに載置して袋状の包装内に対して出し入れした場合に、挿入、出し入れに支障を来たすような変形をしない素材であれば良い。
【００１３】  本発明で用いるヘッダー１の合成樹脂フィルムとしては、ポリエチレン系、ポリビニール系等、包装用素材としてこれまでに使用されているものであれば、適宜のものを選択して使用してよい。
また、柔軟な包装物４とは、例えば、シリコン含有のメガネ拭き用のティッシュ、種々の目的のガーゼ、ハンカチ、ソックス等が挙げられるが、こうした物と実質的に同じ柔軟な性質を持つものも含まれる。
【００１４】  このように構成することで、前記シート３により包装物４の端部を保持し、覆うことで、この包装物４を袋状のヘッダー１の中に入れる場合に、その先端側部分が保形姓を持つことになり、柔らかい包装物４が変形することなく容易に袋中に押し込んで行くことが出来る。
従って、上述のように袋状のヘッダー１を何度も使用できるように開閉自在とした構成の場合には、非常に楽な出し入れを行うことが出来る。
【実施例】
【００１５】  以下、本発明にかかる包装用台紙の好適実施例について、図面を参照して詳述する。
図１乃至図４に示すように、本発明にかかる包装用台紙は、合成樹脂フィル厶（透明なＰＰフィルム）で袋状に構成されたヘッダー１に、柔軟性を持つ包装物４、ここではシリコン含有の特殊チィッシュを収納するために使用する包装用補助台紙であって、前記ヘッダー１の収納スペースに略一致する所定の強度を持つシート３、ここでは紙製のもので構成してある。【００１６】  そして、前記ヘッダー１の収納スペースに略一致する所定の強度を持つシート３の挿入先端側辺を所定長さ折り曲げて前記包装物４を支持するための支持部３Ａを構成し、且つ、前記シート３の挿入基端側辺を、前記挿入先端側辺３Ａと同じ側に所定長さ折り曲げ、その基端部３Ｃを接着固定して自由端側を挟持部３Ｂに構成し、以って、前記包装物４を前記支持部３Ａと挟持部３Ｂとの間で位置保持するように構成してある。【００１７】  また、前記挟持部３Ｂが、前記シート３を構成する紙の素材による弾性復元力によって前記包装物４を弾性挟持するように構成してある。即ち、図３に示す展開図から、図４に示す折り曲げ状態とし、その基端部３Ｃで接着固定することによって、図中の矢印で示すように挟持部３Ｂを持ち上げると、原位置に復帰しようとする弾性力が作用し、これが包装物４を挟持し、保持することになる。【００１８】  更に、前記ヘッダー１が透明な合成樹脂フィルム素材で構成され、且つ、その上辺に吊り下げ用の孔１Ｂが穿孔されている構成とすることで、図１に示す如く、店頭においてボード、或いは棚に敷設のピン、ロッド２に差し込んで、吊り下げ状態で販売するのに好適なものとなる。【００１９】  図４及び図５は、上記台紙の一部改良したもので、上記シート３の支持部３Ａの自由端側が更に内側に向けて折り込まれ、その折り曲げ部３ａが折り曲げの反発力（紙でも弾性はある）により包装物４を前記シート３との間に押圧挟持するように構成したものである。これにより、包装物４の姿勢保持をより確実に行い得る。こうした構成を採用する場合、シート３は、それ自体、上記実施例のシート３よりも柔らかな紙であっても、本発明の目的を達成することが出来る。【００２０】  上述したシート３（図１、図４）の使用方法としては、ヘッダー１及び袋（図６及び図７）を、従来とは表裏逆に用いることが好ましい。
即ち、上記感圧性粘着剤１Ｄによる貼り付け側を表として用い、ヘッダー１を開口させたときに、この感圧性粘着剤１Ｄの側が上向きとなり、この上を前記シート３が引き出され或いは挿入されることとなって、前記シート３の上に保持された包装物４自体が前記感圧性粘着剤１Ｄに接触することがない状態で使用できると共に挿入に際して前記感圧性粘着剤１Ｄの部分が手指の下側に位置することとなって、邪魔になることもなく、スムースな挿脱操作が出来る。
【発明の効果】
【００２１】  本発明に係る包装用台紙によれば、次の効果を奏する。
▲１▼柔軟性を持つ包装物（靴下、ガーゼ、ハンカチ、ティシュなど）の小ロットを封筒状のヘッダー（包装袋）に容易に収納し、或いは取り出す場合に、柔らかい包装物を強度のある台紙でもって容易に袋中に挿入できて、包装工程を楽に行い得ると共に複数回に亘って使用するような包装物の場合、開封自在のヘッダーに対して容易に出し入れすることが出来る。
【００２２】▲２▼しかも、搬送中や吊り下げに伴う包装物に作用する慣性力により、内部で柔らかな包装物が片寄ったり、膨らんだりするの傾向にあったものが、その台紙の独特の挟持部の構成によって包装物を挟持し、保持することによって、未然に回避できて、常にスッキリとした綺麗な展示状態で販売を行うことが出来る。
▲３▼また、包装物を弾性挟持する挟持部が、シートの端部の折り曲げ接着により構成されているので、この部分が台紙の出し入れに際しての指の掴み代として利用でき、ヘッダー、封筒状袋等の狭い開口であったて容易に台紙（包装物）の出し入れを行なうことが出来るのである。
【００２３】▲４▼更に、前記挟持部が包装物を挟み込む、即ち、包装物の端部の上に位置することになるので、ヘッダーの感圧性粘着剤による開口閉鎖を開いて内部に指を入れて包装物を抜き取ろうとしても、前記挟持部が邪魔になり、包装物をヘッダーから抜き取ることは困難であり、その意味で、盗難防止の｛役目も果たす。
▲５▼本発明のその他の具体的な利点は、上記発明の実施の態様の項及び実施例の項において詳述した通りである。
【図面の簡単な説明】
【図１】本発明に係る包装用台紙の使用状態を示す斜視図である。
【図２】本発明に係る包装用台紙の斜視図である。
【図３】本発明に係る包装用台紙の展開図である。
【図４】本発明に係る包装用台紙の別態様の斜視図である。
【図５】本発明に係る包装用台紙の別態様の側面図である。
【図６】本発明に係る包装用台紙を適用するヘッダーの斜視図である。
【図７】本発明に係る包装用台紙を適用する封筒状袋の斜視図である。
【符号の説明】
１  ヘッダー
１Ｂ  吊り下げ用孔
３  シート
３Ａ  支持部
３Ｂ  挟持部
３Ｃ  基端部
３ａ  折り曲げ部
４  包装物
【図１】
2005029247.tif 000003
【図２】
2005029247.tif 000004
【図３】
2005029247.tif 000005
【図４】
2005029247.tif 000006
【図５】
2005029247.tif 000007
【図６】
2005029247.tif 000008
【図７】
2005029247.tif 000009